(57)【要約】【課題】上部柱側に設けるインサート数を削減することのできる型枠固定装置、型枠、型枠固定方法および目地の施工方法を提供する。【解決手段】プレキャストコンクリートからなる上部柱１の下端部と床面の間の接合目地、または、上部柱１の下端部と下部躯体２の間の接合目地３を施工する際に接合目地３の周囲に設けられる型枠４を固定するための装置１００であって、型枠４の上方において上部柱１の周囲に周方向に設けられ、上部柱１に締め付け固定されるバンド部材１０と、バンド部材１０に固定され、バンド部材１０から反力を取って型枠４を上部柱１および床面、または、上部柱１および下部柱２に向けて押し付け固定する型枠固定具１２とを備えるようにする。【選択図】図１
2018091019.tif 000002
【特許請求の範囲】
【請求項１】
プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、
前記型枠の上方において前記上部柱の周囲に周方向に設けられ、前記上部柱に締め付け固定されるバンド部材、または、前記型枠の下方において前記下部柱の周囲に周方向に設けられ、前記下部柱に締め付け固定されるバンド部材と、
前記バンド部材に固定され、前記バンド部材から反力を取って前記型枠を前記上部柱および前記床面、または、前記上部柱および前記下部柱に向けて押し付け固定する型枠固定具とを備えることを特徴とする型枠固定装置。
【請求項２】
プレキャストコンクリートからなる上部柱の下端部と床面の間の接合目地、または、前記上部柱の下端部と下部柱の上端部の間の接合目地を施工する際に前記接合目地の周囲に設けられる型枠であって、
請求項１に記載の型枠固定装置を備えることを特徴とする型枠。
【請求項３】
プレキャストコンクリートからなる上部柱の下端部と床面の間の接合目地、または、前記上部柱の下端部と下部柱の上端部の間の接合目地を施工する際に前記接合目地の周囲に設けられる型枠を固定する方法であって、
前記型枠の上方において前記上部柱の周囲の周方向に設けたバンド部材を前記上部柱に締め付け固定、または、前記型枠の下方において前記下部柱の周囲の周方向に設けたバンド部材を前記下部柱に締め付け固定するステップと、
前記バンド部材に型枠固定具を固定するとともに、前記バンド部材から反力を取って前記型枠を前記上部柱および前記床面、または、前記上部柱および前記下部柱に向けて押し付け固定するステップとを備えることを特徴とする型枠固定方法。
【請求項４】
プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、
請求項３に記載の型枠固定方法により前記型枠を固定した後、前記接合目地を施工することを特徴とする目地の施工方法。
【発明の詳細な説明】
【技術分野】
【０００１】
本発明は、例えばＰＣａ柱（プレキャストコンクリート柱）の下端部と床面との接合部の目地や、上部柱と下部柱の接合部の目地を施工する際に用いられる型枠を固定するための型枠固定装置、型枠、型枠固定方法および目地の施工方法に関するものである。
【背景技術】
【０００２】
従来、ＰＣａ柱と下階側柱との接合目地や、ＰＣａ柱と床スラブとの床上目地を施工する場合には、事前に目地周囲の表面側を別のグラウトで土手状に固めておく方法やエサフォーム（登録商標）などの部材を目地に沿って土手状に設ける方法により、目地施工用の型枠をあらかじめ設けておき、後工程で目地に注入されるモルタルグラウトの漏れを防止するケースが大半である。これらの方法は、鉄筋のグラウト充填式機械式継手の施工要領としてＰＣａ柱のメーカーにより設定された方法であるが、次のような問題点がある。
【０００３】
（１）土手として使用するモルタル材の品質等の現場管理方法が不明確な場合がある。
（２）グラウトを目地に注入した際に、内部エアが袋小路状に目地内に留まり、硬化後に断面欠損が生じるおそれがある。
（３）エサフォーム（登録商標）を土手として使用する場合には、グラウト注入後に目地コテ仕上げが必要となり、作業手間やコストが増大する。また、グラウトとして使用するモルタルの性能や管理方法などを事前に把握しておく必要がある。
【０００４】
このような問題を解決するためのグラウト充填式機械式継手工法として、本出願人はマイティＳＶジョイント工法を既に提案している。この工法は、目地の周囲に設置した木製型枠内にモルタルを注入することで目地施工の一発仕上を可能とした方法である。型枠にはエア抜きを設け、目地内のエアや水湿しした水分の排除を確実に行えるようにしている。
【０００５】
しかしながら、この工法は、目地周囲への木製型枠の取付けに関して次のような問題があった。
（１）手掛かりの無いコンクリート表面に対して、型枠を堅固に押し付ける必要がある。この場合、現場の条件に応じて、簡単に取付け可能な押し付け金物（例えば、特許文献１を参照）などの型枠固定具が必要になってくる。
【０００６】
（２）型枠固定具の取付け方法として、上部柱側と下部側にインサート（雌ねじ）を埋設し、このインサートにボルトを螺合して型枠固定具を固定し、この型枠固定具で木製型枠を押さえ込む方法が考えられる。しかしながら、下部側が床版などの場合、一般にインサートを打つことができないため、上部柱側のインサートのみを頼りにして、型枠固定具を固定する必要がある。この場合、インサートの施工数量が増えて施工コストが上昇するおそれがある。
【先行技術文献】
【特許文献】
【０００７】
【特許文献１】特開２０１６−１０８７３０号公報
【発明の概要】
【発明が解決しようとする課題】
【０００８】
このため、上部柱側に設けるインサート数を削減することのできる技術の開発が求められていた。
【０００９】
本発明は、上記に鑑みてなされたものであって、上部柱側に設けるインサート数を削減することのできる型枠固定装置、型枠、型枠固定方法および目地の施工方法を提供することを目的とする。
【課題を解決するための手段】
【００１０】
上記した課題を解決し、目的を達成するために、本発明に係る型枠固定装置は、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、前記型枠の上方において前記上部柱の周囲に周方向に設けられ、前記上部柱に締め付け固定されるバンド部材、または、前記型枠の下方において前記下部柱の周囲に周方向に設けられ、前記下部柱に締め付け固定されるバンド部材と、前記バンド部材に固定され、前記バンド部材から反力を取って前記型枠を前記上部柱および前記床面、または、前記上部柱および前記下部柱に向けて押し付け固定する型枠固定具とを備えることを特徴とする。
【００１１】
また、本発明に係る型枠は、プレキャストコンクリートからなる上部柱の下端部と床面の間の接合目地、または、前記上部柱の下端部と下部柱の上端部の間の接合目地を施工する際に前記接合目地の周囲に設けられる型枠であって、上述した型枠固定装置を備えることを特徴とする。
【００１２】
また、本発明に係る型枠固定方法は、プレキャストコンクリートからなる上部柱の下端部と床面の間の接合目地、または、前記上部柱の下端部と下部柱の上端部の間の接合目地を施工する際に前記接合目地の周囲に設けられる型枠を固定する方法であって、前記型枠の上方において前記上部柱の周囲の周方向に設けたバンド部材を前記上部柱に締め付け固定、または、前記型枠の下方において前記下部柱の周囲の周方向に設けたバンド部材を前記下部柱に締め付け固定するステップと、前記バンド部材に型枠固定具を固定するとともに、前記バンド部材から反力を取って前記型枠を前記上部柱および前記床面、または、前記上部柱および前記下部柱に向けて押し付け固定するステップとを備えることを特徴とする。
【００１３】
また、本発明に係る目地の施工方法は、プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、上述した型枠固定方法により前記型枠を固定した後、前記接合目地を施工することを特徴とする。
【発明の効果】
【００１４】
本発明に係る型枠固定装置によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、前記型枠の上方において前記上部柱の周囲に周方向に設けられ、前記上部柱に締め付け固定されるバンド部材、または、前記型枠の下方において前記下部柱の周囲に周方向に設けられ、前記下部柱に締め付け固定されるバンド部材と、前記バンド部材に固定され、前記バンド部材から反力を取って前記型枠を前記上部柱および前記床面、または、前記上部柱および前記下部柱に向けて押し付け固定する型枠固定具とを備えるので、上部柱側または下部柱側に設けるインサートが不要となり、インサート数を削減することができる。したがって、施工コストを削減することができるという効果を奏する。
【００１５】
また、本発明に係る型枠によれば、プレキャストコンクリートからなる上部柱の下端部と床面の間の接合目地、または、前記上部柱の下端部と下部柱の上端部の間の接合目地を施工する際に前記接合目地の周囲に設けられる型枠であって、上述した型枠固定装置を備えるので、上部柱側にインサートを設けることなく型枠を堅固に固定することができるという効果を奏する。
【００１６】
また、本発明に係る型枠固定方法によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定する方法であって、前記型枠の上方において前記上部柱の周囲の周方向に設けたバンド部材を前記上部柱に締め付け固定、または、前記型枠の下方において前記下部柱の周囲の周方向に設けたバンド部材を前記下部柱に締め付け固定するステップと、前記バンド部材に型枠固定具を固定するとともに、前記バンド部材から反力を取って前記型枠を前記上部柱および前記床面、または、前記上部柱および前記下部柱に向けて押し付け固定するステップとを備えるので、上部柱側または下部柱側にインサートを設けることなく型枠を堅固に固定することができるという効果を奏する。
【００１７】
また、本発明に係る目地の施工方法によれば、プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、上述した型枠固定方法により前記型枠を固定した後、前記接合目地を施工するので、上部柱側にインサートを設けることなく型枠を堅固に固定でき、接合目地を低コストで施工することができるという効果を奏する。
【図面の簡単な説明】
【００１８】
【図１】図１は、本発明に係る型枠固定装置、型枠、型枠固定方法および目地の施工方法の実施の形態１を示す概略正面図である。
【図２】図２は、本発明に係る型枠固定装置、型枠、型枠固定方法および目地の施工方法の実施の形態１を示す概略平断面図であり、（１）は２面にインサートを設けた場合、（２）は１面にインサートを設けた場合である。
【図３】図３は、本発明に係る型枠固定装置の実施の形態２を示す概略正面図である。
【図４】図４は、本発明に係る型枠固定装置の実施の形態３を示す概略正面図である。
【発明を実施するための形態】
【００１９】
以下に、本発明に係る型枠固定装置、型枠、型枠固定方法および目地の施工方法の実施の形態を図面に基づいて詳細に説明する。なお、この実施の形態によりこの発明が限定されるものではない。
【００２０】
（実施の形態１）
まず、本発明の実施の形態１を説明する。
図１および図２（１）に示すように、本発明の実施の形態１に係る型枠固定装置１００は、矩形断面の上部柱１（ＰＣａ柱）の下端部と下部躯体２（床版または下部柱）の間の接合目地３を施工する際に、接合目地３の周囲に設けられる型枠４を固定するための装置である。型枠４は水平方向に延在する角型の木製型枠であり、接合目地３を囲むように周方向に配置される。この型枠４は、上部柱１の側面から若干の間隔（例えば数ｍｍ）をおいて配置される。
【００２１】
この型枠固定装置１００は、型枠４の上方において上部柱１の周囲に周方向に設けられ、上部柱１に締め付け固定されるバンド部材１０と、バンド部材１０に固定され、バンド部材１０から反力を取って型枠４を上部柱１および下部躯体２に向けて押し付け固定する型枠固定具１２とを備える。
【００２２】
バンド部材１０は、上部柱１の側面に設けてある図示しないモルタル排出孔よりも上側において、上部柱１をバンド状に締め付けるように設けられる。このバンド部材１０は、水平方向に延在する例えばＬ字型断面のアングル鋼であり、上部柱１の側面に当接する鉛直部１０ａと、この鉛直部１０ａの下端より外方に突出した水平部１０ｂとからなる。水平部１０ｂには型枠固定具１２がボルト固定される。このバンド部材１０には、その延在方向の所定間隔ごとにリブ１０ｃが設けられている。ここで、本発明では上部柱１側へのインサートの設置は基本的には不要であるが、上部柱１へのバンド部材１０の設置を容易化するため、例えば図２（１）に示すように、上部柱１の対向する２面に各１本のインサート３４をあらかじめ設けておき、各インサート３４にバンド部材１０を仮預けしてバンド部材１０を上部柱１に取付けることが好ましい。また、上部柱１の対向する２面ではなく、例えば図２（２）に示すように、上部柱１の１面に設けたインサート３４にバンド部材１０を仮預けしてバンド部材１０を上部柱１に取付けてもよい。
【００２３】
型枠固定具１２は、正面視で逆Ｔ字状をした金属製のものであり、上部固定部１４と、これよりも幅広の下部固定部１６とからなる。上部固定部１４と下部固定部１６はその間に設けられる連結部材１８で連結されている。上部固定部１４は、コの字断面の固定部材２０と、固定部材２０の上板２０ａを上下に貫通するボルト孔と、このボルト孔に挿通したボルト２４とからなる。ボルト２４は上板２０ａと下板２０ｂとの間に配置されるバンド部材１０の水平部１０ｂを下板２０ｂ側に押圧することで、下板２０ｂと水平部１０ｂを強固に固定する。
【００２４】
下部固定部１６は、Ｌ字状断面の幅広の部材からなり、水平部１６ａと鉛直部１６ｂとからなる。水平部１６ａは型枠４の上面に配置され、鉛直部１６ｂは型枠４の側面に配置される。水平部１６ａ、鉛直部１６ｂは型枠４の上面、側面に当接配置してもよいし、水平部１６ａ、鉛直部１６ｂと型枠４間に裏当て金などの部材を設けて、これらを介して配置してもよい。
【００２５】
水平部１６ａ、鉛直部１６ｂの幅方向の両側には、それぞれ上下方向、水平方向に貫通したボルト孔が設けられており、各ボルト孔にはボルト３０、３２が螺合している。各ボルト３０、３２をねじ込むことで型枠４を上下方向および水平方向に押圧できるようになっている。
【００２６】
本実施の形態に係る型枠固定装置１００によれば、上部柱１側に設けるインサートが不要となり、インサート数を削減することができる。したがって、施工コストを削減することができる。
【００２７】
また、バンド部材１０に対する型枠固定具１２の配置位置は自在であり、柱一面に種類の異なる型枠４（例えば高さが異なる型枠）が存在する場合であっても、型枠４に応じた型枠固定具１２を適切な位置に自在に設置可能である。また、上部柱１側にインサートが不要であることからインサートの設置精度に影響されない。さらに、接合目地３が、上部柱１の下端部と床面の間の接合目地である場合や、上部柱１の下端部と下部躯体２の間の接合目地である場合でも、下部側にインサートを設けることなく型枠４を確実に押し付け固定し、注入モルタルの漏れを防ぐことができる。また、型枠４を強固に押し付け固定できるため、エア抜きによる断面欠損の無いモルタル品質が一定な接合目地を施工することが可能である。
【００２８】
なお、上記の実施の形態では、柱−柱接合においてバンド部材１０が型枠４の上方の上部柱１の周囲に配置される場合を例にとり説明したが、本発明はこれに限るものではない。例えば、バンド部材１０が上部柱１の周囲ではなく、型枠４の下方の下部躯体２（下部柱）の周囲に配置される構成であってもよい。この場合の型枠固定具としては、例えば図１の型枠固定具１２を上下逆向きにしたものを用いることができる。このようにしても、バンド部材１０から反力を取って型枠４を上部柱１および下部躯体２に向けて押し付け固定することができる。
【００２９】
上記の実施の形態において、上述した型枠４と型枠固定装置１００とを備えた構成を、本発明に係る型枠として捉えることもできる。この構成によれば、上部柱１側にインサートを設けることなく型枠を堅固に固定することができる。
【００３０】
また、本発明に係る型枠固定方法は、まず、型枠４の上方において上部柱１の周囲の周方向に設けたバンド部材１０を上部柱１に締め付け固定する。続いて、バンド部材１０に型枠固定具１２を固定する。次に、バンド部材１０から反力を取って型枠４を上部柱１および下部躯体２に向けて押し付け固定する。このようにすれば、上部柱１側にインサートを設けることなく型枠４を堅固に固定することができる。
【００３１】
また、本発明に係る目地の施工方法は、上述した接合目地３の周囲に型枠４を固定した後、型枠４を用いて接合目地３を施工するものである。上述した型枠固定方法により型枠４を固定した後、接合目地３を施工するので、上部柱１側にインサートを設けることなく型枠４を堅固に固定でき、接合目地３を低コストで施工することができる。
【００３２】
（実施の形態２）
次に、本発明の実施の形態２を説明する。
図３に示すように、本発明の実施の形態２に係る型枠固定装置２００は、上記の実施の形態１において、型枠固定具１２の代わりに別の形態の型枠固定具３６を用いたものである。
【００３３】
型枠固定具３６は、上部固定部３８と下部固定部４０とからなる。上部固定部３８と下部固定部４０はその間に設けられる連結部材４２で連結されている。上部固定部３８の構成は、上記の実施の形態１で説明した上部固定部１４と同様であるので詳細な説明は省略する。
【００３４】
下部固定部４０は、Ｌ字状断面の金属製の部材であり、水平部４０ａと鉛直部４０ｂとからなる。水平部４０ａは型枠４の上面に配置され、鉛直部４０ｂは型枠４の側面に配置される。このような構成によっても、型枠４を上下方向および水平方向に押圧しながら固定することができる。
【００３５】
（実施の形態３）
次に、本発明の実施の形態３を説明する。
図４に示すように、本発明の実施の形態３に係る型枠固定装置３００は、上記の実施の形態１において、型枠固定具１２の代わりに別の形態の型枠固定具４４を用いたものである。
【００３６】
型枠固定具４４は、上部固定部４６と下部固定部４８とからなる。上部固定部４６と下部固定部４８はその間に設けられる連結部材５０で連結されている。上部固定部４６の構成は、上記の実施の形態１で説明した上部固定部１４と同様であるので詳細な説明は省略する。
【００３７】
下部固定部４８は、Ｌ字状断面の金属製の部材であり、水平部４８ａと鉛直部４８ｂとからなる。水平部４８ａは型枠４の上面に配置され、鉛直部４８ｂは型枠４の側面に配置される。水平部４８ａには上下方向に貫通する図示しないボルト孔が設けられており、このボルト孔に螺合したボルト５２が型枠４を下方向に押圧している。なお、水平部４８ａと型枠４の上面の間に裏当て金を設け、この裏当て金を介して型枠４を下方向に押圧してもよい。このような構成によっても、型枠４を上下方向および水平方向に押圧しながら固定することができる。
【００３８】
以上説明したように、本発明に係る型枠固定装置によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、前記型枠の上方において前記上部柱の周囲に周方向に設けられ、前記上部柱に締め付け固定されるバンド部材、または、前記型枠の下方において前記下部柱の周囲に周方向に設けられ、前記下部柱に締め付け固定されるバンド部材と、前記バンド部材に固定され、前記バンド部材から反力を取って前記型枠を前記上部柱および前記床面、または、前記上部柱および前記下部柱に向けて押し付け固定する型枠固定具とを備えるので、上部柱側または下部柱側に設けるインサートが不要となり、インサート数を削減することができる。したがって、施工コストを削減することができる。
【００３９】
また、本発明に係る型枠によれば、プレキャストコンクリートからなる上部柱の下端部と床面の間の接合目地、または、前記上部柱の下端部と下部柱の上端部の間の接合目地を施工する際に前記接合目地の周囲に設けられる型枠であって、上述した型枠固定装置を備えるので、上部柱側にインサートを設けることなく型枠を堅固に固定することができる。
【００４０】
また、本発明に係る型枠固定方法によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定する方法であって、前記型枠の上方において前記上部柱の周囲の周方向に設けたバンド部材を前記上部柱に締め付け固定、または、前記型枠の下方において前記下部柱の周囲の周方向に設けたバンド部材を前記下部柱に締め付け固定するステップと、前記バンド部材に型枠固定具を固定するとともに、前記バンド部材から反力を取って前記型枠を前記上部柱および前記床面、または、前記上部柱および前記下部柱に向けて押し付け固定するステップとを備えるので、上部柱側または下部柱側にインサートを設けることなく型枠を堅固に固定することができる。
【００４１】
また、本発明に係る目地の施工方法によれば、プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、上述した型枠固定方法により前記型枠を固定した後、前記接合目地を施工するので、上部柱側にインサートを設けることなく型枠を堅固に固定でき、接合目地を低コストで施工することができる。
【産業上の利用可能性】
【００４２】
以上のように、本発明に係る型枠固定装置、型枠、型枠固定方法および目地の施工方法は、例えばＰＣａ柱の下端部と床面との接合部の目地や、上部柱と下部柱の接合部の目地を施工する際に用いられる型枠を固定するのに有用であり、特に、上部柱側に設けるインサート数を削減するのに適している。
【符号の説明】
【００４３】
１  上部柱
２  下部躯体（床または下部柱）
３  接合目地
４  型枠
１０  バンド部材
１０ａ  鉛直部
１０ｂ  水平部
１０ｃ  リブ
１２，３６，４４  型枠固定具
１４，３８，４６  上部固定部
１６，４０，４８  下部固定部
１６ａ，４０ａ，４８ａ  水平部
１６ｂ，４０ｂ，４８ｂ  鉛直部
１８，４２，５０  連結部材
２０  固定部材
２０ａ  上板
２０ｂ  下板
２４，３０，３２，５２  ボルト
３４  インサート
１００〜３００  型枠固定装置
【図１】
2018091019.tif 000003
【図２】
2018091019.tif 000004
【図３】
2018091019.tif 000005
【図４】
2018091019.tif 000006